(57)【特許請求の範囲】
【請求項１】
ガイドレールと，該ガイドレールに上吊り転動案内自在のガイドローラーを備え，該ガイドローラーを，戸体に起立配置した支軸を被嵌した径小ローラーと該支軸の先端に軸支した径大ローラーによる異径一対にして水平回転のローラーを備えて形成し，上記ガイドレールを，上記径小ローラー挿通用にして前後幅方向中間位置に配置した開口溝と，該開口溝の前後を画するように対向一対にしてその片側一方が上記径大ローラーの上下外周の一端と接触する傾斜面を，片側他方が上記径大ローラーに非接触にして上記径小ローラーの側面と接触する先端をそれぞれ有する対向突片及び構造材の側面に対接固定する起立取付片とを備えて一体成形又は成形材を一体化して形成し、上記異径一対のローラーのガイドレール上下位２ヶ所の接触による転動案内と直交するコーナー通過を自在としてなり、上記片側一方の対向突片の傾斜面における径大ローラーの接触位置を対向突片間の戸体との離隔側位置に配置して，上記片側他方の対向突片を径大ローラーに非接触とする片側一方の対向突片による上記径大ローラーの転動案内を自在とするとともに上記片側一方の対向突片をその幅方向全部を傾斜した傾斜突片によって、上記片側他方の対向突片を水平突片によってそれぞれ形成し且つこれら対向一対の対向突片及び上位のガイドレールの水平壁の内面にそれぞれ上下に対向するように上記径大ローラーの前後の振れを防止する上下４ヵ所の振止突条を起立配置して、上記径大ローラーをこれら振止突条間に遊嵌状に位置するように配置することによって上記径大ローラーの前後方向の揺動を防止するとともに該上下４ヶ所の振止突条の起立配置を径大ローラーの直径より大きな間隔を隔てて上記ガイドレールのガイド溝の内側位置とすることによってガイドレールの長手方向前後の側面と上下４ヶ所の振止突条間に径大ローラーの前後両側に上下に連通する連通空間を配置してなることを特徴とする戸体のガイドローラー装置。
【発明の詳細な説明】
【技術分野】
【０００１】
本発明は，例えば横引きシャッター，引戸等建具の戸体を案内するに用いる戸体のガイドローラー案内装置に関する。
【背景技術】
【０００２】
シャッターや引戸のガイドローラーをガイドレールに転動案内自在とした，この種戸体のガイドローラー案内装置は，例えば，戸体の上吊用のものにあって，下記特許文献の図７に示されるように，ガイドローラーを戸体に起立配置した支軸の先端に軸支し，ガイドレールを，該ガイドローラー挿通用にして前後幅方向中間位置に配置した開口溝と，該開口溝の前後を画する対向一対の対向突片とを備えて形成したものとするか，図１０に示されるように，ガイドローラーを戸体に起立配置した起立軸の上端に前後方向に向けて配置した一対の支軸の長手方向双方の先端にそれぞれ軸支した前後及び左右に各一対の合計４つとし，ガイドレールを，上記起立軸挿通用にして前後幅方向中間位置に配置した開口溝と，該開口溝の前後を画する対向一対にして上記一対のガイドローラーをそれぞれ載置する対向突片とを備えたものとしたものとし，また戸体の下部振止用のものにあって，同じく図１０に示されるように，ガイドローラーを戸体に起立配置した支軸の先端に軸支し，ガイドレールを，該ガイドローラー転動案内用にして前後幅方向中間位置に開口した溝レールを備えたものとされる。
【０００３】
【特許文献１】特開２００６−３２８７５１号公報
【発明の開示】
【発明が解決しようとする課題】
【０００４】
この場合，上記戸体の上吊用にガイドローラーを支軸の先端に軸支したものにあっては，該ガイドローラーが水平回転して，ガイドレールの水平配置の対向突片に載置される結果，複数面に亘るように平面Ｌ字状乃至Ｕ字状にガイドレール材を配置して該ガイドレール材間に直交するコーナーを配置しても，この直交するコーナーを含めて，ガイドレールにガイドローラーを転動させて戸体の開閉案内を行うことができるが，一方で水平回転のガイドローラーが水平配置の対向突片を転動するから，これらの間の摩擦抵抗が過大となって，ガイドローラーの転動がスムーズになされずに開閉障害を招く可能性がある。また同じく戸体の上吊用にして上記水平配置の支軸長手方向双方の先端にガイドローラーを一対配置したものは，垂直回転するガイドローラーが水平配置の対向突片に載置される結果，これらの間の摩擦抵抗が小さく，従ってガイドローラーのスムーズな転動が得られるが，該ガイドローラーの方向転換には比較的大きな回転半径を必要として，上記直交するコーナーを通過することができないため，方向転換のためにガイドレール材間に大きな半径のコーナーを配置する必要が生じる。
【０００５】
しかし乍ら，例えば上記平面Ｌ字状乃至Ｕ字状の開口を形成して，該開口をフルオープンすることが求められるサンルーム等の開口面に使用する建具にあっては，そのガイドレールのコーナーを直交するものとすれば，室内面積の拡大によるコーナースペースの利用を含めてその使い勝手を向上することが可能となるから，このような建具にあって，ガイドローラーのスムーズな転動案内と直交するコーナーの通過の双方をなし得るようにする必要が生じる。
【０００６】
本発明はかかる事情に鑑みてなされたもので，その解決課題とするところは，可及的簡易な構造にしてガイドローラーのスムーズな転動案内と直交するコーナーの通過の双方を可能とした戸体のガイドローラー案内装置を提供するにある。
【課題を解決するための手段】
【０００７】
上記課題に沿って本発明は，ガイドローラーを，異径一対にして水平回転する径小ローラーと径大ローラーによる上下２段配置のものとし，径大ローラーの上下外周一端の下端又は上端をガイドレールの，例えば室内側に形成した傾斜面に接触してその転動案内を行い，径小ローラーをガイドレールの開口溝の，例えば室外側の開口端部に接触してその転動案内を行う如くに，上下２段配置のローラーをガイドレールの上下位２ヶ所にして前後方向逆位置の各転動部位にそれぞれ片持ち状に転動自在として，ローラーとガイドレール間の摩擦抵抗を可及的に減少することによってガイドローラーのスムーズな転動案内と直交するコーナーの通過をなし得るようにし、また、ガイドレールを複雑化することなく，可及的簡易な対向一対の対向突片の配置構成によって，径大ローラーの上記傾斜面，径小ローラーの開口溝の端部以外の接触を防止し得るものとする一方、上記対向一対の対向突片及び上位のガイドレールの水平壁の内面にそれぞれ上下に対向するように上記径大ローラーの前後の振れを防止する上下４ヵ所の振止突条を起立配置して、上記径大ローラーをこれら振止突条間に遊嵌状に位置するように配置することによって上記径大ローラーの前後方向の揺動を防止して上記径大ローラーの前後方向の揺動を防止して，ガイドローラーの常にスムーズな転動案内をなし得るものとするとともに上記ガイドレールの長手方向前後の側面と振止突条間に径大ローラーの前後両側の上下に連通する連通空間を配置したものであって、即ち請求項１に記載の発明を，ガイドレールと，該ガイドレールに上吊り転動案内自在のガイドローラーを備え，該ガイドローラーを，戸体に起立配置した支軸を被嵌した径小ローラーと該支軸の先端に軸支した径大ローラーによる異径一対にして水平回転のローラーを備えて形成し，上記ガイドレールを，上記径小ローラー挿通用にして前後幅方向中間位置に配置した開口溝と，該開口溝の前後を画するように対向一対にしてその片側一方が上記径大ローラーの上下外周の一端と接触する傾斜面を，片側他方が上記径大ローラーに非接触にして上記径小ローラーの側面と接触する先端をそれぞれ有する対向突片及び構造材の側面に対接固定する起立取付片とを備えて一体成形又は成形材を一体化して形成し、上記異径一対のローラーのガイドレール上下位２ヶ所の接触による転動案内と直交するコーナー通過を自在としてなり、上記片側一方の対向突片の傾斜面における径大ローラーの接触位置を対向突片間の戸体との離隔側位置に配置して，上記片側他方の対向突片を径大ローラーに非接触とする片側一方の対向突片による上記径大ローラーの転動案内を自在とするとともに上記片側一方の対向突片をその幅方向全部を傾斜した傾斜突片によって、上記片側他方の対向突片を水平突片によってそれぞれ形成し且つこれら対向一対の対向突片及び上位のガイドレールの水平壁の内面にそれぞれ上下に対向するように上記径大ローラーの前後の振れを防止する上下４ヵ所の振止突条を起立配置して、上記径大ローラーをこれら振止突条間に遊嵌状に位置するように配置することによって上記径大ローラーの前後方向の揺動を防止するとともに該上下４ヶ所の振止突条の起立配置を径大ローラーの直径より大きな間隔を隔てて上記ガイドレールのガイド溝の内側位置とすることによってガイドレールの長手方向前後の側面と上下４ヶ所の振止突条間に径大ローラーの前後両側に上下に連通する連通空間を配置してなることを特徴とする戸体のガイドローラー装置としたものである。
【発明の効果】
【０００８】
本発明は以上のとおりに構成したから，請求項１に記載の発明は，ガイドローラーを，異径一対にして水平回転する径小ローラーと径大ローラーによる上下２段配置のものとし，径大ローラーの上下外周一端の下端又は上端をガイドレールの，例えば室内側に形成した傾斜面に接触してその転動案内を行い，径小ローラーをガイドレールの開口溝の，例えば室外側の開口端部に接触してその転動案内を行う如くに，上下２段配置のローラーをガイドレールの上下位２ヶ所にして前後方向逆位置の各転動部位にそれぞれ片持ち状に転動自在として，ローラーとガイドレール間の摩擦抵抗を可及的に減少することによってガイドローラーのスムーズな転動案内と直交するコーナーの通過をなし得るようにし、また、ガイドレールを複雑化することなく，可及的簡易な対向一対の対向突片の配置構成によって，径大ローラーの上記傾斜面，径小ローラーの開口溝の端部以外の接触を防止し得るものとする一方、上記対向一対の対向突片及び上位のガイドレールの水平壁の内面にそれぞれ上下に対向するように上記径大ローラーの前後の振れを防止する上下４ヵ所の振止突条を起立配置して、上記径大ローラーをこれら振止突条間に遊嵌状に位置するように配置することによって上記径大ローラーの前後方向の揺動を防止して上記径大ローラーの前後方向の揺動を防止して，ガイドローラーの常にスムーズな転動案内をなし得るものとするとともに上記ガイドレールの長手方向前後の側面と振止突条間に径大ローラーの前後両側の上下に連通する連通空間を配置した戸体のガイドローラー案内装置を提供することができる。
【発明を実施するための最良の形態】
【０００９】
以下図面の例に従って本発明を更に具体的に説明すれば，Ａは，例えば建物開口部前に配置したサンルーム３の複数開口面を塞ぐように配置した，例えばアルミ押出材を用いて形成したアルミ製の横引シャッターを示す。
【００１０】
本例の横引きシャッターＡは，ガイドレール１と，該ガイドレール１に転動自在のガイドローラー２４を備え，該ガイドローラー２４を設置した戸体の開閉案内を行うものとしてあり，このときガイドレール１は，これをサンルーム３の上記複数開口面に亘るように平面Ｌ字状乃至平面Ｕ字状，本例にあっては正面と２つの側面の３面に亘るように平面Ｕ字状に配置したものとしてある。該ガイドレール１は，上下に対向して，戸体の上吊支持用とした上位ガイドレール１ａと，戸体の下部振止用とした下位ガイドレール１ｂを対として，上記サンルーム３の屋根３２の構造材とデッキ材の床材に固定配置してあり，このとき上記正面と２つの側面の各ガイドレール１は，ガイドレール材を相互に直交するように９０度の角度に配置し直接に又はコーナー接続部材１１を介して相互に接続することによって一連に連続して上記平面Ｕ字状のものとして，複数開口面の正面と側面間に各直交するコーナーを配置したものとしてある。本例にあって該直交するコーナーは，例えば正面と側面の各ガイドレール材の室内側先端同士を相互に突合せ対接するように直交配置し，これに平面正方形をなし，双方のガイドレール１を一連に連続する小半径，本例にあってはガイドレール１の１／２幅を半径とする小半径のレール溝を有するコーナー接続部材１１を介設することによってその接続を行ったものとしてある。
【００１１】
本例にあって該ガイドレール１によって開閉案内する戸体は，同幅一対のパネル２１をヒンジ２３連結して該パネル２１の直列の伸張とＶ字状屈曲の折畳みを行う伸張屈曲自在の多数のシャッター単位２によるものとしてあり，該シャッター単位２は，これを，上記ガイドレール１に転動自在のガイドローラー２４，即ちシャッター単位２の上端突出配置の上吊ローラーと，下端突出配置の振止ローラーとを用いてガイドレール１に上吊支持することによって，該シャッター単位２毎の伸張屈曲による横引き開閉を行うものとしてある。
【００１２】
このとき上記ガイドローラー２４は，これを，戸体，本例にあってはシャッター単位２に起立配置した支軸を被嵌した径小ローラー２４ｂと該支軸の先端に軸支した径大ローラー２４ａによる異径一対にして水平回転するローラーを備えて形成し，上記ガイドレール１を，上記径小ローラー２４ｂ挿通用にして前後幅方向中間位置に配置した開口溝１３と，該開口溝１３の前後を画するように対向一対にしてその片側一方が上記径大ローラー２４ａの上下外周一端の下端又は上端と接触する傾斜面を，片側他方が上記径大ローラー２４ａに非接触にして上記径小ローラー２４ｂの側面と接触する先端をそれぞれ有する対向突片１４，１５を備えて形成して，上記異径一対のローラーのガイドレール１上下位２ヶ所の接触による転動案内と直交するコーナー通過を自在として，そのシャッター単位２をガイドレール１長手方向に案内するようにしてある。
【００１３】
ガイドローラー２４は，上吊ローラーと振止ローラーの双方をそれぞれ異径一対のローラーを備えたものとしてあり，該ガイドローラー２４は，シャッター単位２をなす同幅一対のパネル２１の幅方向両端に位置する縦框２２，即ち非ヒンジ連結側の縦框の上下端に突設した支軸に，縦框２２側に径小ローラー２４ｂを配置し，先端側，即ち上吊ローラーにあっては該径小ローラー２４ｂの上位に，振止ローラーにあっては該径小ローラー２４ｂの下位にそれぞれ径大ローラー２４ａを水平方向に回転自在に軸支してある。本例の支軸は，例えば縦框２２の中空部の上下に嵌合し，例えば上下方向位置調整自在にネジ固定したローラー取付金具（図示省略）の天壁に起立配置することによって，それぞれ異径一対のローラーを軸支してあり，このとき径小ローラー２４ｂは，先端の径大ローラー２４ａと上下位に隣接して該支軸を覆ってこれを被嵌するように軸支して，上記ガイドレール１の開口溝１３の溝幅に対して僅かに幅狭の直径を有することによって上記径大ローラー２４ａより径小とした円筒状をなすものとしてある。また径大ローラー２４ａは，支軸の先端にあって，上記開口溝１３の溝幅と該開口溝１３を画する対向突片１４，１５の突出幅を部分的に合わせた幅広の直径を有して上記径小ローラー２４ｂより径大にして，例えば該径小ローラー２４ｂの２倍程度の直径を有する厚肉円盤状乃至厚肉円形リング状をなすものとしてある。このように支軸に軸支することによって異径一対のこれらローラーは，縦框２２の上下端に水平方向回転自在に配置される結果，その前後及び左右の進行を任意に行うものとすることができる。
【００１４】
一方，ガイドレール１は，長手方向に径大ローラー２４ａを受入れる幅広のガイド溝１２と，径小ローラー２４ｂを受入れる開口溝１３を形成するように断面Ｃ字状とし，上位ガイドレール１ａにおいて上記開口溝１３と対向突片１４，１５を下面側に，下位ガイドレール１ｂにあって上面側に位置するようにしてあり，また上位ガイドレール１ａにあっては，上記屋根３２の構造材の側面に対接固定する起立取付片１７を備えて一体成形又は成形材を一体化したものとしてある。
【００１５】
本例のガイドレール１にあって，上記片側一方の対向突片１４は，これをその幅方向全部を傾斜した傾斜突片によって形成し，上記片側他方の対向突片１５は，これを水平突片によって形成したものとしてあり，これにより，上記片側一方の対向突片１４の傾斜面における径大ローラー２４ａの接触位置を対向突片１４，１５間の戸体，即ちシャッター本体２との離隔側位置に配置して，上記片側他方の対向突片１５を径大ローラー２４ａに非接触とする片側一方の対向突片１４による径大ローラー２４ａの転動案内を自在としたものとしてあり，またこれら対向一対の一方または双方の対向突片に，径大ローラー２４ａの前後の振れを防止する上下４ヵ所の振止突条１６を起立配置したものとしてある。
【００１６】
即ち片側一方の対向突片１４は，片側他方の対向突片１５と段差をなすように，その突出位置を，上位ガイドレール１ａにあっては該片側他方の対向突片１５より高位に，下位ガイドレール１ｂにあっては低位として，それぞれ開口側に下向き乃至上向きの傾斜面をなす傾斜突片とし，また片側他方の対向突片１５は，これを上記突出位置から開口溝１３に向けた水平突片としてある。
【００１７】
また振止突条１６は，本例にあって上位ガイドレール１ａにおいては片側一方及び片側他方の双方の対向突片１４，１５に，また下位ガイドレール１ｂにあっては片側一方の対向突片１４にそれぞれ配置してある。上位ガイドレール１ａにあっては，上記径大ローラー２４ａの直径より大きな間隔を隔てて、これら対向突片１４、１５のガイド溝１２内側に起立し、例えばシャッター単位２に風圧等の外力が作用することによって該径大ローラー２４ａに生じることある前後方向の揺動を可及的に防止してあり、このとき上記上位のガイドレール１ａは、これら対向突片１４，１５の振止突条１６に加えて，これらと上下に対応するようにガイドレール１の水平壁の内面に同じく振止突条１６を起立して、異径一対のローラーのスムーズな転動案内をなし得るようにしてあり、該上下４ヶ所の振止突条１６の起立配置を径大ローラー２４ａの直径より大きな間隔を隔てて上記ガイドレール１ａのガイド溝１２の内側位置とすることによって該ガイドレール１ａの長手方向前後の側面と上下４ヶ所の振止突条１６間に径大ローラー２４ａの前後両側に上下に連通する連通空間を配置してある。また下位ガイドレール１ｂにあっては，その片側一方の対向突条１４に，上記上位ガイドレール１の片側一方の対向突条１４と同位置になるように該振止突条１６を１ヶ所配置し，本例にあっては上位ガイドレール１ａの揺動防止を下位ガイドレール１ｂで補助するようにその揺動防止を行うものとしてある。
【００１８】
このように形成した本例のガイドレール１と異径一対にして水平回転するガイドローラー２４は，上下位ガイドレール１ａ，１ｂの片側一方の対向突片１４の傾斜面に径大ローラー２４ａの上下外周一端，上位ガイドレール１ａにあっては下端，下位ガイドレール１ｂにあっては上端を，例えばガイドレール１の幅方向室内側に配置した片側一方の対向突片１４の傾斜面にそれぞれ接触し，また径小ローラー２４ｂの側面を，上記傾斜面と前後を逆とするようにガイドレール１の幅方向室外側に配置した片側他方の対向突片１５の先端にそれぞれ接触するように配置して，シャッター単位２をその幅方向両端で上吊支持するものとしてあり、また、上位のガイドレール１ａの長手方向前後の側面と振止突条間に径大ローラー２４ａの前後両側に上下に連通する連通空間を配置したものとしてある。
【００１９】
このときガイドレール１は，その上記片側一方の対向突片１４の傾斜面における上記径大ローラー２４ａの接触位置と，片側他方の対向突片１５の先端における上記径小ローラー２４ｂの接触位置との間隔を常に確保して異径一対のローラーのスムーズな転動案内を行うように，特に片側他方の対向突片１５の先端の開口溝１３への突出位置を規制して，径小ローラー２４ｂを前後方向定位置に維持するようにしてある。即ち径小ローラー２４ｂの前後位置を定位置とすることで，例えばシャッター単位２の荷重や風圧等の外力の作用により径大ローラー２４ａの傾斜面における接触位置が前後方向にずれることによって，該径大ローラー２４ａが片側他方の対向突片１５に接触したりするのを防止し，該径大ローラー２４ａの傾斜面における接触位置を同じく定位置に維持して，これら異径一対のローラーのガイドレール１に対する上記上下位２ヶ所の接触とこれによるスムーズな転動案内を確保するようにしてある。
【００２０】
このように本例にあってシャッター単位２の幅方向両側上下の合計４ヶ所に配置した異径一対にして水平回転するガイドローラー２４を用いて，該シャッター単位２をガイドレール１に上吊支持することによって，各ガイドローラー２４は，上下２段の径大ローラー２４ａと径小ローラー２４ｂの双方が水平回転してガイドレール１の上下位２ヶ所に接触するから，ガイドレール１とガイドローラー２４間の摩擦抵抗が可及的に減少して，該ガイドローラー２４がスムーズにして安定した転動案内を行うことができ，従ってガイドレール１に上吊支持したシャッター単位２は，これを極めて軽く開閉し且つガイドレール１長手方向に移動することができる。またガイドローラー２４は，その径小ローラー２４ｂと径大ローラー２４ａの双方が水平回転するから，該ガイドローラー２４が回転可能であれば，その方向転換を行うことができ，従ってガイドレール１が一連に連続している限り方向転換を自由に行うことが可能となり，本例にあってガイドレール１の正面と各側面間に配置した上記直交するコーナーを通過することができる。このとき本例にあっては上記平面正方形にして小半径のレール溝を有するコーナー接続部材１１を用いたから，該直交するコーナーをガイドローラー２４が更に容易に通過でき，これによってシャッター単位２を正面と各側面の開口面間で軽量且つスムーズに移動することができる。即ち該シャッター単位２の移動は，これを伸張状態のままコーナーに向けて送れば，送り方向先端のガイドローラー２４が直交するコーナーを通過して隣接する開口面側のガイドレール１に入るとともに該シャッター単位２が２つの開口面の室内側に架設状になってガイドレール１に対して斜めに進行し，更に送り方向後端のガイドローラー２４が該直交するコーナーを通過することによって，シャッター単位２は，一方の開口面からこれに隣接する他方の開口面に移動し，その方向転換を完了するに至る。従って，例えば平面Ｕ字状のいずれかの側面の開口面に順次シャッター単位２を移動してこれを折畳むようにすれば，全てのシャッター単位２を開口面の１ヶ所に集めて，横引シャッターＡをフルオープンの状態とすることができ，該横引シャッターＡを設置したサンルーム３の使い勝手を良好なものとすることができる。
【００２１】
図中３１は，サンルームの屋根３２を支持する支柱である。
【００２２】
図示した例は以上のとおりとしたが，上吊支持用のガイドレールに対する上吊ローラーとして，戸体を上吊支持する一方，戸体の下部において，径小ローラーのみからなる振止ローラーを用いて，その振止を行うようにすること，戸体を引戸とし，また複数乃至多数を蛇腹状にヒンジ連結したシャッター単位乃至シャッター本体とすること，ガイドレールを単一の開口面に配置して，ガイドローラーを該単一の開口面で転動案内自在とすること等を含めて，本発明の実施に当って，戸体，ガイドレール，その開口溝，対向一対の対向突片，片側一方の対向突片に配置する傾斜面，ガイドローラー，その径大ローラー，径小ローラー等の各具体的形状，構造，材質，これらの関係，これらに対する付加等は，上記発明の要旨に反しない限り様々な形態のものとすることができる。
【図面の簡単な説明】
【００２３】
【図１】サンルームの正面図である。
【図２】サンルームの側面図である。
【図３】ガイドレールの平面図である。
【図４】ガイドローラーと上位ガイドレールの関係を示す縦断面図である。
【図５】ガイドローラーと下位ガイドレールの関係を示す縦断面図である。
【図６】ガイドレールとシャッター単位のコーナー通過の状態を示す横断面図である。
【図７】ガイドレールのコーナー部分の拡大平面図である。
【符号の説明】
【００２４】
Ａ  横引シャッター
１  ガイドレール
１ａ  上位ガイドレール
１ｂ  下位ガイドレール
１１  コーナー接続部材
１２  ガイド溝
１３  開口溝
１４  片側一方の対向突片
１５  片側他方の対向突片
１６  振止突条
１７  起立取付片
２  シャッター単位
２１  パネル
２２  縦框
２３  ヒンジ
２４  ガイドローラー
２４ａ  径大ローラー
２４ｂ  径小ローラー
３    サンルーム
３１  支柱
３２  屋根
【図１】
0005223078.tif 000002
【図２】
0005223078.tif 000003
【図３】
0005223078.tif 000004
【図４】
0005223078.tif 000005
【図５】
0005223078.tif 000006
【図６】
0005223078.tif 000007
【図７】
0005223078.tif 000008